(57)【要約】【課題】  降雪量が多く、外気温が低く、風が強いときでも、雪庇の発生を防止出来るようにする【解決手段】  建築物の笠木Ｋの上面に固定する取付台１０と、この取付台に配した垂直板２０および水平板３０を備え、水平板は、その内部に電気的発熱体２４を備えるとともに、基端の回動軸部（３１、３２）を中心として回動可能であって、降雪量に応じて先端を下降回動させる重量バランス部３７を備える（請求項１）。垂直板によって、屋根と笠木とを分断して雪庇の形成を防止し、水平板に積もる雪を電気的発熱体によって融かしつつ、降雪量が重量バランス部の重みを超えて増えたときには、水平板を下降回動させて雪氷を建物外に落下させる。【選択図】    図１
2011001778.tif 000002
【特許請求の範囲】
【請求項１】
建築物の笠木の上面に固定する取付台と、
この取付台に配した垂直板および水平板を備え、
水平板は、
その内部に電気的発熱体を備えるとともに、
基端の回動軸部を中心として回動可能であって、
降雪量に応じて先端を下降回動させる重量バランス部を備えることを特徴とする雪庇防止装置。
【請求項２】
垂直板の内部に、電気的発熱体を設けることを特徴とする請求項１記載の雪庇防止装置。
【請求項３】
水平板または垂直板の内部に設ける電気的発熱体は、面状発熱体であることを特徴とする請求項１または請求項２記載の雪庇防止装置。
【発明の詳細な説明】
【技術分野】
【０００１】
本発明は、降雪地の建築物において発生する雪庇を防止する装置に関する。
【背景技術】
【０００２】
北海道のような降雪寒冷地では、厳冬期に、建物の屋上に雪庇と呼ばれる氷雪の団塊が生ずることがある。図４は、建物１の最上部の笠木（パラペット）２に発生する雪庇３を例示するものである。雪庇３は、外気温が低く、風が強く、降雪量が多いときに発生するもので、大量の降雪があったときは一昼夜で形成されることもあるし、降雪量が多くない場合でも外気温が低い日が続き断続的な降雪があると、二日または三日といった長時間をかけて形成されることもある。
【０００３】
雪庇３は、降雪地に特有のいわゆる無落雪住宅等、主として、建物１の最上部に笠木（パラペット）２を備える建物１に発生する。建物１の屋根に積もる雪が、風で流されて笠木２の部分で吹きだまりを形成し、時間とともに氷雪が成長して笠木２を超えて外部に大きく張り出してゆくからである。人が自由に出入りできる建物屋上であって、転落防止用の壁（フェンス）を備えている建築物では、高さ１ｍ前後の壁（フェンス）が境界となって氷雪の成長を遮断するので雪庇３は発生しない。笠木２をもたない傾斜屋根でも雪庇３は発生しない。
【０００４】
雪庇３は、２〜３階建ての小規模な無落雪住宅や、１０階を超えるようなマンションにおいても発生する。雪庇３の問題は、成長した氷雪が自身の荷重や暖気で一気に崩落し、大量の氷雪塊が隣接家屋を直撃したり、歩道を歩いている通行人を直撃する点にある。住宅密度が高くなった都市部では、このような問題が発生しやすくなっている。
【０００５】
もちろん、従来から、雪庇３を防止するための技術は提案されている。例えば、特許文献１、特許文献２のように、笠木（パラペット）２に電気的発熱体を配するもの等である。
【先行技術文献】
【特許文献】
【０００６】
【特許文献１】特開平１１−１５９０８８号
【特許文献２】特開２００５−０１６１４４号
【発明の概要】
【発明が解決しようとする課題】
【０００７】
問題は、笠木（パラペット）２に電気的発熱体を配しても、厳冬期には雪庇３を防止することが難しい点にある。
【０００８】
雪庇３は、建物１の屋根に積もる雪が笠木２の部分で吹きだまりを形成し、それが成長して笠木２の外部に張り出すものであるため、笠木２の表面に電気的発熱体を設けても、外気温が低く、降雪量が多く、風が強いときには、笠木２の発熱体による融雪効果よりも雪庇３の成長速度の方が速いからである。笠木２の上面を温めても、それを上回るスピードで雪庇３が成長する。建物１の屋根に積もる雪が風によって絶えず笠木２を覆うようにかぶってくるので、笠木２の上面の発熱体は、笠木２の上面にかぶってきた氷雪を融かすことに終始し、外気温が低いときには雪庇３の成長を止めることが出来ない。
【０００９】
そこで、本発明の目的は、降雪量が多く、外気温が低く、風が強いときでも、確実に雪庇３の発生を防止出来るようにすることにある。
【課題を解決するための手段】
【００１０】
前記目的を達成して、課題を解決するため、本発明に係る雪庇防止装置は、建築物の笠木の上面に固定する取付台と、この取付台に配した垂直板および水平板を備え、水平板は、その内部に電気的発熱体を備えるとともに、基端の回動軸部を中心として回動可能であって、降雪量に応じて先端を下降回動させる重量バランス部を備える（請求項１）。
【００１１】
この雪庇防止装置は、垂直板によって、屋根と笠木（２）とを空間的に分断（分離、遮断）することで雪庇（３）の形成を防止するとともに、笠木（２）の上に水平板を位置させることによって、水平板に積もる雪を電気的発熱体によって融かしつつ、降雪量が重量バランス部の重みを超えて増えたときには、水平板の先端が降雪重量によって下降回動し、降雪（雪氷）を建物の外に落下させる。
【００１２】
水平板の上に積もる雪の量は、雪庇（３）のように巨大化することはないので、水平板に積もった雪を建物（１）の外に落としても、通行人や隣接家屋に大きなダメージを与えることはない。
【００１３】
垂直板の内部に、電気的発熱体を設ける場合がある（請求項２）。垂直板は、屋根と笠木（２）とを空間的に分離することによって雪庇（３）の形成を防止する機能を営むものであり、この部分には必ずしも電気的発熱体を設ける必要はない。しかしながら、外気温が低く、風が強いときは、水平板に積もった雪と垂直板の外側（笠木の外側）に付着した雪が結合して、水平板の回動を阻害するケースが考えられる。垂直板の外側に付着した雪が水平板の雪と結合して、水平板に作用する回動モーメントを軽減化させる虞れがあるからである。
【００１４】
垂直板にも電気的発熱体を設けておけば、雪氷は垂直板に付着することがなくなり、水平板は雪氷重量に応じて確実に回動することが出来る。
【００１５】
水平板または垂直板の内部に設ける電気的発熱体は、面状発熱体である場合がある（請求項３）。
【００１６】
水平板または垂直板の内部に設ける電気的発熱体は、その種類を問わないが、面状発熱体を用いると、水平板または垂直板の成形が容易となり製造コストを低減させることが出来る。また面状発熱体は、均一に板を加熱できるので、外気温が低い場合でも水平板または垂直板に付着した雪をむらなく融解し、水平板または垂直板の一部（温度が低い部分）に雪氷が融けずに残ってしまうという事態を確実に防止することが出来る。
【発明の効果】
【００１７】
本発明に係る雪庇防止装置によれば、降雪量が多く、外気温が低く、風が強いときでも、雪庇の発生を防止することが出来る。
【図面の簡単な説明】
【００１８】
【図１】実施形態に係る雪庇防止装置を正面から例示する図である。
【図２】実施形態に係る雪庇防止装置を側面から例示する図である。
【図３】実施形態に係る雪庇防止装置の電源供給例を示す図である。
【図４】一般的な雪庇の発生状態を例示する図である。
【発明を実施するための形態】
【００１９】
図１、図２は、本発明に係る雪庇防止装置の一実施形態を示すものである。この雪庇防止装置は、建築物の笠木Ｋの上面に固定する取付台１０と、この取付台１０に配した垂直板２０および水平板３０を備え、水平板３０は、その内部に電気的発熱体、例えば面状発熱体３４を備えている。水平板３０は、基端の固定軸３１を中心として、笠木Ｋから突出させて設ける先端部分が少なくとも下方に向かって回動可能であって、降雪量に応じて先端を下降回動させるためのバランサ（重量バランス部）３７を備える。固定軸３１は、ベアリング３２によって軸支させてある。固定軸３１とベアリング３２とが、本発明の回動軸部を構成する。水平板３０は、回動部材（３１、３２）を回動中心として回動する。以下、各部を説明する。
【００２０】
取付台１０は、笠木Ｋの上に固定金具、例えばネジ（ボルト等）１１を用いて固定する。この実施形態で示す取付台１０は、所定間隔をもって離隔させた二つの略Ｌ字状の部材を用いる。固定金具であるネジ１１は、例えば、取付台１０の水平板１２の上面から笠木Ｋに打ち込む。また取付台１０の垂直板１４の内側面（対となる二つの取付台１０の位置関係で内側となる面）には、ベアリング３２を配して、左右のベアリング３２に一本の固定軸３１を回動可能な状態で掛け渡す。
【００２１】
取付台１０の水平板１２と垂直板１４は、板の剛性を高めるために端部を折曲させ、それぞれ断面略Ｌ字状を呈するようにしておくことが望ましい。
【００２２】
垂直板２０は、例えば、取付台１０の垂直板１４の外側面（対となる二つの取付台１０の位置関係で外側となる面）に設けた、適宜形状の取付ブランケット２２を介して固定支持する。取付ブランケット２２は、垂直板２０の背面（笠木Ｋの内周側）に位置させる。取付ブランケット２２と取付台１０の固定、および取付ブランケット２２と垂直板２０との固定には、例えばネジ（ビス等）を使用することが出来る。
【００２３】
この実施形態では、取付ブランケット２２は、断面略Ｌ字状の直線的な左右二つの部材を用いているが、基端部の固定強度を高く保証する場合は、取付ブランケット２２は分離して設けず、幅方向の全体が略Ｌ字形状を呈する一個の板状体を用いても良い。取付台１０との接触面積を増大させ、固定用のネジの配設点数を増加させるためである。
【００２４】
垂直板２０は、例えば、二枚の金属板の間に電気的発熱体２４、例えば面状発熱体（波線で示す）を鋏んで構成することが望ましい。電気的発熱体２４を設けることにより、降雪時には雪氷を融かし、低温外気によって雪氷が垂直板２０に付着することを防止することが出来る。金属板を使用するのは、熱伝導の良好な素材を用いることによって電気的発熱体２４が発生する熱を効率よく拡散させるためである。金属板としては、例えばアルミ板またはステンレス板を用いることが出来る。
【００２５】
垂直板２０の左右端部は、取付台１０の離隔寸法と略同一させることが望ましい。つまり、垂直板２０の左右端部は、取付台１０の垂直板１４より大きく外側に突出させないことが望ましい。これは水平板３０も同様である。外気温が厳しく低下する地域では、取付台１０の垂直板１４より外側に突出させた水平板３０の下に雪が入り込んで、笠木Ｋの上で凍結し、水平板３０の下方回動を阻害する可能性があるからである。なお、垂直板２０と水平板３０の左右寸法は同一としておくことが望ましい。隣接する本雪庇防止装置の間に可能な限り無用な隙間が生じないようにするためである。
【００２６】
水平板３０は、その基端部を、取付台１０の垂直板１４の内側面に配したベアリング３２によって軸支した固定軸３１に固定し、これを回動中心として、笠木Ｋから外方に突出させた先端部が降雪の重みによって下方へ回動できるようにしておく。降雪量に応じた回動を実現するため、水平板３０の適宜箇所、例えば基端部（笠木Ｋの内周側）にバランサ（重量バランス部；ウェイト）３７を設ける。３８は、ベアリング３２を支持するためのブランケットである。
【００２７】
バランサ３７は、例えば、水平板３０の基端部の下面に固定する。形状や材質は問わない。水平板３０に略均一に降り積もった雪の重量が、バランサ３７との釣り合いを超えて増大したときに、水平板３０の先端部を下方回動させる適当な重量と形状とを備えていればよいからである。この実施形態では、笠木Ｋと平行にバランサ３７を設けてある。
【００２８】
水平板３０は、例えば、二枚の金属板の間に電気的発熱体３４、例えば面状発熱体（波線で示す）を鋏んで構成する。電気的発熱体３４を設けることにより、降雪時に雪氷を融かし、水平板３０が下方回動したときに雪氷を笠木Ｋの外へ落下させるためである。金属板を使用するのは、熱伝導の良好な金属を用いることによって電気的発熱体３４が発生する熱を効率よく拡散させるためである。金属板としては、例えばアルミ板またはステンレス板を用いることが出来る。
【００２９】
水平板３０は、先端部を下降回動することで降雪を笠木Ｋの外側に落下させるためのものであるから、先端部は笠木Ｋの外側に突出させて配設する。また、下降回動の傾斜を大きくさせるため、水平板３０の回動中心となる基端部は、できるだけ笠木Ｋの外周端縁に近い位置に設けることが望ましい。
【００３０】
このように構成した雪庇防止装置は、笠木Ｋの上（上面左右方向）に隣接させて複数配設することが望ましい。一個の雪庇防止装置を長手方向に長尺形成するよりも、適当な左右寸法として、複数個を隣接させながら配置する方が、水平板３０の下降回動の信頼性を担保しやすいからである。また笠木Ｋの設計寸法の相異に柔軟に対応できる。垂直板２０、水平板３０の長手方向の寸法は、例えば、概ね１００ｃｍ程度とすることが望ましい。
【００３１】
図３は、垂直板２０、水平板３０に設けた電気的発熱体２４、３４に対する電源供給を例示する図である。電気的発熱体２４、３４に対する電源供給は、降雪センサ４１と外気温センサ４２を介して行うことが望ましい。外気温が低く、かつ降雪がある場合に行えば良いので、電気的発熱体２４、３４に対する電源供給は、給電制御部４４の適宜回路、例えば、降雪センサ４１と外気温センサ４２の出力をアンド回路の入力とし、アンド回路の出力に基づいて行うことが出来る。降雪センサ４１がオンしても、外気温が高い場合（摂氏プラス温度条件）であれば、電気的発熱体２４、３４を発熱させるための給電は必要がなく、外気温センサがオンしても（摂氏マイナス温度条件）、降雪がない場合は電気的発熱体２４、３４を発熱させるための給電は必要がないからである。
【００３２】
従って、かかる雪庇防止装置によれば、笠木Ｋの上に積もる雪を垂直板２０によって分断するとともに、水平板３０の下降回動によって笠木Ｋの外側へ落下（排除）できるため、降雪量が多く、外気温が低く、風が強いときでも、雪庇の発生を確実に防止することが可能となる。
【００３３】
垂直板２０と水平板３０の内部には電気的発熱体２４、３４を配してあり、これに対する給電を、降雪センサ４１、外気温センサ４２、給電制御部４４を用いた回路によってオンオフ制御するので、電力消費も少なく、不必要な発熱に起因する垂直板２０や水平板３０の劣化も防止することが出来る。電気的発熱体２４、３４による融雪作用により、水平板３０の上に積もった雪は、当該水平板３０の下降回動により笠木Ｋの外方にすべて排除できる。垂直板２０や水平板３０に付着して残る雪もなくなる。
【００３４】
なお、本願発明に係る雪庇防止装置は以上説明した構成のものに限定されない。例えば、取付台１０は、所定間隔をもって離隔させた二つの略Ｌ字状の部材に限定されない。左右両側に回動軸部を固定できる縦板部があれば良いから、分離していないひとつの板状部材を用いても水平板３０を回動可能に軸支し、垂直板２０を固定しつつ、笠木Ｋに留め置くことが出来る。
【００３５】
垂直板２０は、取付台１０の垂直板１４の外側面に設けた取付ブランケット２２を介して固定支持すると説明したが、取付ブランケット２２は、垂直板２０の背面を確実に支持できればよいので、取付位置は限定されない。例えば、取付ブランケット２２の両方が取付台１０の垂直板１４の内側面に固定しても構わないし、片方のみが取付台１０の垂直板１４の内側面に固定され、他方が取付台１０の垂直板１４の外側面に固定されても良い。
【００３６】
垂直板２０は、例えば、二枚の金属板の間に電気的発熱体、例えば面状発熱体を鋏んで構成する旨説明したが、電気的発熱体は面状発熱体でなくても良いし、また垂直板２０には電気的発熱体を設けなくても良い。
【００３７】
垂直板２０および水平板３０は金属板を使用することは望ましい。例えば、アルミ板、防錆処理を施した鉄板等である。
【００３８】
垂直板２０および水平板３０のの左右端部は、取付台１０の左右寸法（離隔幅）と略同一とすることが望ましい旨説明したが、外気温が厳しく低下しない地域では、垂直板２０および水平板３０の左右端部を、取付台１０より外側に突出させても結氷による作動不良を生じない。
【００３９】
バランサ３７は、水平板３０の基端部の下面に固定する旨説明したが、水平板３０の上面に配しても構わない。また水平板３０の基端部に限らず、基端から中央部にかけて設けても良い。必ずしも笠木Ｋと平行である必要はないから、笠木Ｋに対して直角にバランサ３７を設けても構わない。
【００４０】
垂直板２０、水平板３０は、二枚の金属板の間に電気的発熱体３４を鋏んで構成する旨説明したが、構成要素となる金属板の枚数は二枚に限定されない。二枚以上の金属板を使用しても内部に電気的発熱体３４を設ければ、同一の作用効果を奏することが出来るからである。
【符号の説明】
【００４１】
１０  取付台
１１  ネジ
１２  （取付台１０の）水平板
１４  （取付台１０の）垂直板
２０  垂直板
２２  取付ブランケット
２４、３４  電気的発熱体
３０  水平板
３１  固定軸
３７  バランサ（重量バランス部）
３２  ベアリング
３８  ブランケット
４１  降雪センサ
４２  外気温センサ
４４  給電制御部
Ｋ  笠木
【図１】
2011001778.tif 000003
【図２】
2011001778.tif 000004
【図３】
2011001778.tif 000005
【図４】
2011001778.tif 000006